(57)【特許請求の範囲】
【請求項１】
ネットワークノード(104)及び信号転送ノード(202a,202b,202c)を有するネットワーク(100)の前記ネットワークノードによって実行される、マルチアンテナ送信のためのプリコーディングコードブックを決定するための方法であって、
プリコーディングコードワードを少なくとも１つ有するプリコーディングコードブックを生成するステップ(302)と、
前記ネットワークノードから前記プリコーディングコードブックをユーザ端末(102)に通信するステップ(304)とを有し、
前記プリコーディングコードワードは前記信号転送ノードに関連付けられ、かつ前記プリコーディングコードワードの少なくとも１つは、前記ネットワークノードと前記信号転送ノードとの間の通信に用いられる、前記ネットワークノードもしくは前記信号転送ノードのアンテナのための１つ以上のアンテナビーム形成重みを有することを特徴とする方法。
【請求項２】
前記プリコーディングコードブックを生成する前記ステップが、前記信号転送ノードに関連付けられたプリコーディングコードワードを生成するステップ(408)と、前記プリコーディングコードワードを前記プリコーディングコードブックに含ませるステップ(410)とを有することを特徴とする請求項１記載の方法。
【請求項３】
前記プリコーディングコードブックを生成する前記ステップが、前記信号転送ノードから送信された基準信号を前記ネットワークノードで受信するステップ(404)を有することを特徴とする請求項２記載の方法。
【請求項４】
前記プリコーディングコードブックを生成する前記ステップが、前記基準信号を測定するステップ(406)をさらに有することを特徴とする請求項３記載の方法。
【請求項５】
前記基準信号の測定結果に基づいてアンテナビーム形成重みを決定するステップ(406)をさらに有することを特徴とする請求項４記載の方法。
【請求項６】
前記決定されたアンテナビーム形成重みを有するプリコーディングコードワードを形成するステップと、前記プリコーディングコードワードを前記プリコーディングコードブックに含めるステップ(408,410)とをさらに有することを特徴とする請求項５記載の方法。
【請求項７】
前記信号転送ノードに前記基準信号を送信させるトリガメッセージを前記信号転送ノードに送信するステップ(402)をさらに有することを特徴とする請求項６記載の方法。
【請求項８】
基準信号を前記信号転送ノードに送信するステップ(502)をさらに有することを特徴とする請求項１記載の方法。
【請求項９】
前記信号転送ノードが、前記基準信号を測定し、前記基準信号の測定結果に基づいてアンテナビーム形成重みを決定し、前記決定したアンテナビーム形成重みを前記ネットワークノードに送信する(504-510)ように構成されていることを特徴とする請求項８記載の方法。
【請求項１０】
前記アンテナビーム形成重みを前記信号転送ノードから受信するステップと、前記受信したアンテナビーム形成重みを有するプリコーディングコードワードをプリコーディングコードブックに追加するステップとをさらに有することを特徴とする請求項８記載の方法。
【請求項１１】
前記アンテナビーム形成重みを受信するステップが、前記信号転送ノードから、前記アンテナビーム形成重みを有するプリコーディングコードワードを受信するステップを有することを特徴とする請求項１０記載の方法。
【請求項１２】
前記プリコーディングコードブックを生成する前記ステップが周期的に実行されることを特徴とする請求項１乃至請求項１１のいずれか１項に記載の方法。
【請求項１３】
前記ネットワークノードが、前記プリコーディングコードブックを生成する前記ステップが実行される間隔を設定することを特徴とする請求項１２記載の方法。
【請求項１４】
前記プリコーディングコードブックを生成する前記ステップは、システム初期化期間及び新規ユーザ設定手順の一方の間にのみ実行されることを特徴とする請求項１乃至請求項１３のいずれか１項に記載の方法。
【請求項１５】
前記通信ステップは、共通制御チャネルを用いてプリコーディングコードブックサイズを前記ユーザ端末に通信するステップと、プリコーディングベクタ候補を共通基準信号の重みとして用いるステップとを有することを特徴とする請求項１乃至請求項１４のいずれか１項に記載の方法。
【請求項１６】
ダーティペーパー符号化アルゴリズム及び準最適プリコーディングアルゴリズムの１つを用いて前記プリコーディングコードブックを最適化するステップをさらに有することを特徴とする請求項１乃至請求項１５のいずれか１項に記載の方法。
【請求項１７】
前記プリコーディングコードブックを生成する前記ステップが、プリコーディングコードブックを更新するステップを有し、
前記ネットワークノードが基地局を有し、
前記信号転送ノードがリピータ又は中継器を有することを特徴とする請求項１乃至請求項１６のいずれか１項に記載の方法。
【請求項１８】
基地局(104)であって、
プリコーディングコードワードを少なくとも１つ有するプリコーディングコードブックを生成するように構成されたプリコーディングコードブック生成モジュール(610)と、
前記プリコーディングコードブックを移動局に通信するように構成されたプリコーディングコードブック通信モジュール(612)とを有し、
前記プリコーディングコードワードは信号転送ノード(202a)に関連付けられ、かつ前記プリコーディングコードワードの少なくとも１つは、前記基地局と前記信号転送ノードとの間の通信に用いられる、前記基地局もしくは前記信号転送ノードのアンテナのための１つ以上のアンテナビーム形成重みを有することを特徴とする基地局。
【発明の詳細な説明】
【技術分野】
【０００１】
本発明は、複数の送信アンテナを有する無線通信システムのためのプリコーディングコードブックを生成するためのシステム及び方法に関する。
【背景技術】
【０００２】
第３世代パートナシッププロジェクト(3GPP)リリース８、エヴォルブドユニバーサル陸上無線アクセス(EUTRA)あるいはロングタームエヴォリューション(LTE)は、様々なダウンリンクマルチアンテナモードをサポートする。これらモードは（１）送信ダイバーシチ、（２）シングルユーザ及びマルチユーザ空間多重のための、コードブックに基づくプリコーディング、及び（３）ユーザ機器(UE)（移動端末とも呼ばれる）固有の、基準信号を用いた、シングルランクの、コードブックに基づかないビーム形成を含む。
【０００３】
コードブックに基づくプリコーディングでは、ｅノードＢ(eNB)でのプリコーディングコードブックが予め定められている。コードブックに基づかないビーム形成モードでは、ダウンリンク送信重みが、ＵＥアップリンク信号（例えば基準信号）に基づいてｅＮＢで決定されるか、ＵＥにおいてＵＥからｅＮＢへのダウンリンク送信重みのフィードバックとともに決定されてよい。ＵＥプリコーディング行列インジケータ(PMI)フィードバック又はＵＥ基準信号に基づいて、スケジュールされたＵＥのそれぞれに対して瞬時的なｅＮＢ送信重みが決定される。
【０００４】
無線ネットワークは、カバレージエリア及びユーザデータレートの少なくとも一方を増加させるため、マルチアンテナ手法及び信号転送ノード（例えばリピータ、リレー、等）の少なくとも一方をますます用いるようになっている。しかし、ｅＮＢのコードブックは予め定められたものであり、ビーム形成重みをコードブックに基づかずに決定する方法はＵＥ固有かつ動的に変化するため、信号転送ノードとマルチアンテナ手法の効率的な組み合わせを確実に行うことは容易でない。
【０００５】
そのため、改善されたシステム及び方法が求められている。
【発明の概要】
【０００６】
一見地において、本発明はネットワークノード（例えば基地局）によって実行されるプリコーディングコードブック方法を提供する。一部の実施形態において、この方法は以下のステップを有する。（１）プリコーディングコードワードを少なくとも１つ有するプリコーディングコードブックを生成するステップ、ここで、前記プリコーディングコードワードは信号転送ノードに関連付けられ、かつ１つ以上のアンテナビーム形成重みを有する、及び（２）前記ネットワークノードから前記プリコーディングコードブックをユーザ端末に通信するステップ。この方法はさらに、ダーティペーパー符号化(dirty-paper coding)アルゴリズム及び準最適(sub-optimal)プリコーディングアルゴリズムの１つを用いて前記プリコーディングコードブックを最適化するステップを有してもよい。前記プリコーディングコードブックを生成する前記ステップは、前記信号転送ノードについてのプリコーディングコードワードを生成するステップと、前記プリコーディングコードワードを前記プリコーディングコードブックに含ませるステップとを有してもよい。
【０００７】
一部の実施形態において、前記信号転送ノードについての前記プリコーディングコードワードを生成する前記ステップは、以下のステップを有してもよい。（１）前記信号転送ノードから送信された基準信号を前記ネットワークノードで受信するステップと、（２）前記基準信号を測定するステップと、（３）前記基準信号の測定結果に基づいてアンテナビーム形成重みを決定するステップと、（４）前記決定されたアンテナビーム形成重みを有するプリコーディングコードワードを形成するステップと、（５）前記プリコーディングコードワードを前記プリコーディングコードブックに含ませるステップ。一部の実施形態において、前記方法はさらに、前記信号転送ノードに前記基準信号を送信させるトリガメッセージを前記信号転送ノードに送信するステップを有してもよい。
【０００８】
一部の実施形態において、前記プリコーディングコードブックを生成する前記ステップは以下のステップを有する。（１）基準信号を前記信号転送ノードに送信するステップ、前記信号転送ノードは前記基準信号を測定し、前記基準信号の測定結果に基づいてアンテナビーム形成重みを決定し、前記決定したアンテナビーム形成重みを前記ネットワークノードに送信するように構成されており、（２）前記アンテナビーム形成重みを前記信号転送ノードから受信するステップ、及び（３）前記受信したアンテナビーム形成重みを有するプリコーディングコードワードをプリコーディングコードブックに追加するステップ。一部の実施形態において、前記アンテナビーム形成重みを受信するステップは、前記信号転送ノードから、前記アンテナビーム形成重みを有するプリコーディングコードワードを受信するステップを有する。
【０００９】
一部の実施形態において、前記生成するステップが周期的に実行され、前記ネットワークノードは前記決定するステップが実行される間隔を設定する。他の実施形態において、前記生成するステップは、システム初期化期間及び新規ユーザ設定手順の一方の間にのみ実行される。
【００１０】
一部の実施形態において、前記通信するステップは、共通制御チャネルを用いてプリコーディングコードブックサイズを前記ユーザ端末に通信するステップと、プリコーディングベクタ候補を共通基準信号の重みとして用いるステップとを有する。
【００１１】
別の見地において、本発明は改良された基地局に関する。一部の実施形態において前記基地局は、プリコーディングコードワードを少なくとも１つ有するプリコーディングコードブックを生成するように構成されたプリコーディングコードブック生成モジュール、ここで、前記プリコーディングコードワードは信号転送ノードに関連付けられ、かつ１つ以上のアンテナビーム形成重みを有する、及び前記プリコーディングコードブックをユーザ端末に通信するように構成されたプリコーディングコードブック通信モジュールとを有する。
【００１２】
一部の実施形態において前記基地局はさらに、基準信号を前記信号転送ノードに送信する様に構成された基準信号送信モジュールと、前記アンテナビーム形成重みを前記信号転送ノードから受信可能に構成された受信モジュールとを有し、前記プリコーディングコードブック生成モジュールは、前記受信モジュールによって受信されたアンテナビーム形成重みをプリコーディングコードブックに追加するように構成される。これら実施形態において前記基地局はさらに、前記受信モジュールによって受信されたアンテナビーム形成重みを有するプリコーディングコードワードを形成するように構成されたプリコーディングコードワード形成モジュールを有し、前記プリコーディングコードブック生成モジュールが、前記プリコーディングコードワード形成モジュールによって形成されたプリコーディングコードワードをプリコーディングコードブックに追加するように構成される。
【００１３】
一部の実施形態において前記基地局はさらに、（１）前記信号転送ノードに前記基準信号を送信させるトリガを前記信号転送ノードに送信するように構成されたトリガ送信モジュールと、（２）前記信号転送ノードによって送信された基準信号を測定するように構成された測定モジュールと、（３）前記測定モジュールによって行われた測定結果に基づいてビーム形成重みを決定するように構成されたビーム形成重み決定モジュールと、（４）前記アンテナビーム形成重み決定モジュールによって決定されたアンテナビーム形成重みを有するプリコーディングコードワードを生成するように構成されたプリコーディングコードワード生成モジュールとを有してよく、前記プリコーディングコードブック生成モジュールは、前記プリコーディングコードワード生成モジュールによって生成された前記プリコーディングコードワードをプリコーディングコードブックに追加するように構成される。
【００１４】
別の見地において、本発明は改良された信号転送ノード（すなわち、信号を受信するための受信器と、前記受信した信号を転送（すなわち再送信）するための送信機とを有するノード）に関する。一部の実施形態において前記信号転送ノードは、基地局から送信された信号（例えば基準信号）を受信するように構成された受信モジュールと、前記信号を測定するように構成された信号測定モジュールと、前記信号の１つ以上の測定結果に基づいてアンテナビーム形成重みを決定するように構成されたアンテナビーム形成重み決定モジュールと、前記ビーム形成重みを前記信号転送ノードから前記基地局に送信するための送信モジュールとを有する。一部の実施形態において、前記送信モジュールは、前記アンテナビーム形成重みを有するプリコーディングコードワードを前記基地局に送信するように構成される。前記信号転送ノードはさらに、前記信号転送ノードが前記基地局から送信されたトリガメッセージを受信すると前記信号測定モジュールに前記信号の測定を開始させるように構成されたトリガモジュールを有してもよい。他の実施形態において前記信号転送ノードは、基地局から送信された信号を受信するように構成された信号受信器と、前記受信された信号を再送信するように構成された信号送信器と、前記基地局から送信されたトリガを受信可能なトリガ受信モジュールと、前記トリガ受信モジュールが前記基地局から前記トリガを受信すると前記基地局に基準信号を送信するように構成された基準信号送信器モジュールとを有する。
【００１５】
上述した見地及び実施形態、並びに他の見地及び実施形態を、添付図面を参照して以下に説明する。
【図面の簡単な説明】
【００１６】
【図１】基地局と通信するＵＥを示す図である。
【図２】本発明のいくつかの実施形態に係る通信システムのセルを示す図である。
【図３】本発明のいくつかの実施形態に係る動作を示すフローチャートである。
【図４】本発明のいくつかの実施形態に係る動作を示すフローチャートである。
【図５】本発明のいくつかの実施形態に係る動作を示すフローチャートである。
【図６】本発明のいくつかの実施形態に係る基地局、信号転送ノード、及びユーザ端末の機能ブロック図である。
【図７】本発明のいくつかの実施形態に係る基地局、信号転送ノード、及びユーザ端末の機能ブロック図である。
【図８】本発明のいくつかの実施形態に係る基地局の機能ブロック図である。
【図９】本発明のいくつかの実施形態に係る信号転送ノードの別の機能ブロック図である。
【発明を実施するための形態】
【００１７】
本明細書に組み込まれて本明細書の一部を形成する添付図面は、本発明の様々な実施形態を示すだけでなく、説明と共に、本発明の原理を説明したり、関連する技術分野における当業者が本発明を実施並びに利用することを可能にするためにも役立つ。図において、同様の参照数字は、同一又は機能的に類似した構成要素を示している。
【００１８】
図１は、無線アクセスシステム１００の一部を示している。例示を目的としているため、ここではユーザ端末（ＵＥ）１０２及び基地局１０４をそれぞれ１つだけ示している。基地局１０４は例えば、エヴォルブドノードＢ（ｅＮＢ）であってよい。ＵＥ１０２及び基地局１０４はビーム１０６を用いて通信してよい。ＵＥ１０２は、基地局１０４から送信されるダウンリンク基準信号の測定結果に基づいて、ビーム１０６に対応する適切なプリコーディングコードワードを選択するように構成される。プリコーディングコードワードの選択後、ＵＥ１０２は選択したプリコーディングコードワードに関連付けられた識別子（ＬＴＥではプリコーディングマトリックスインデックス（ＰＭＩ）と呼ばれる）を基地局１０４に送信する。ＵＥ１０２からＰＭＩを受信すると、基地局は、受信したＰＭＩに関連付けられたプリコーディングコードワードをプリコーディングコードブックから読み出す。プリコーディングコードブックは、各々があるＰＭＩに関連付けられた１つ以上のプリコーディングコードワードのセットを含んでいる。プリコーディングコードワードの各々は、１つ以上のプリコーディングベクタのセットを含んでいる。プリコーディングベクタはアンテナビーム形成重みを含んでいる。ＵＥ１０２から送信されたＰＭＩによって特定されるプリコーディングコードワードを取得した後、基地局１０４はそのプリコーディングコードワードに含まれているアンテナビーム形成重みを、ＵＥ１０２にデータを送信するために用いる。
【００１９】
図２は、本発明のいくつかの実施形態に係る無線アクセスシステム１００をさらに示している。図２に示すように、基地局１０４はセル２００内に位置する複数のＵＥにアクセスサービスを提供してよく、またＵＥ１０２と基地局１０４は信号転送ノード２０２ａ〜２０２ｃのセットを介して通信してよい。基地局１０４は、処理３００（図３参照）を実行することにより、上述した問題を解決するように構成されている。図３に示すように、基地局１０４は、（１）複数の信号転送ノード２０２のセットの各々に対して、信号転送ノードに関連付けられた１つ以上のプリコーディングコードワードを含んだプリコーディングコードブックを生成（ステップ３０２）し、（２）このプリコーディングコードブックをＵＥ１０２（及びセル２０４内の他のＵＥ）に通信（ステップ３０４）する。例えば、基地局１０４は（１）信号転送ノード２０２ａについてのプリコーディングコードワードを決定又は取得し、（２）信号転送ノード２０２ｂについてのプリコーディングコードワードを決定又は取得し、（３）信号転送ノード２０２ａについてのプリコーディングコードワード及び信号転送ノード２０２ｂについてのプリコーディングコードワードをプリコーディングコードブックに含める、ことができる。プリコーディングコードブックは他のプリコーディングコードワードを含んでもよく、それらの一部は他の信号転送ノードに関連付けられるが、他のものはどの信号転送ノードにも関連付けられない。例えば、プリコーディングコードブックは、信号転送ノード２０２のどのカバレージエリアにも位置していないＵＥを対象とした１つ以上のプリコーディングコードワードを含んでもよい。
【００２０】
プリコーディングコードブックは、システム初期化期間に１度だけ決定されてよい。あるいは、基地局１０４は定期的に、もしくは不定期にプリコーディングコードブックを修正してもよい。
【００２１】
図４は、基地局１０４がプリコーディングコードブックを決定する、本発明のいくつかの実施形態に係る動作４００を示すフローチャートである。処理４００はステップ４０２から開始されてよく、ここでは信号転送ノード２０２に基準信号を基地局１０４に送信させるトリガが、信号転送ノード２０２（例えば信号転送ノード２０２ａ）に送信される。基準信号はステップ４０４で基地局１０４に受信される。ステップ４０６で基地局１０４は、１つ以上のアンテナビーム形成重みを決定するために基準信号を測定する。ステップ４０８で基地局１０４は、決定されたアンテナビーム形成重みを有するプリコーディングコードワードを形成する。ステップ４１０において、プリコーディングコードワードがプリコーディングコードブックに追加される。ステップ４０２〜４１０は他の信号転送ノード（例えば信号転送ノード２０２ｂ及び２０２ｃ）について実施されてもよい。このようにして、基地局１０４は、１つ以上の信号転送ノードの各々に対し、その信号転送ノードについてのプリコーディングコードワードを含んだプリコーディングコードブックを生成する。
【００２２】
図５は、基地局１０４がプリコーディングコードブックを生成する、本発明のいくつかの実施形態に係る動作５００を示すフローチャートである。処理５００はステップ５０２から開示されてよく、ここでは基地局１０４が信号転送ノード２０２に基準信号を送信する。信号転送ノード２０２は基準信号をステップ５０４で受信する。ステップ５０６で信号転送ノード２０２は、基準信号を測定する。ステップ５０８で信号転送ノード２０２は、基準信号の測定結果に基づいてアンテナビーム形成重みを決定する。ステップ５１０で信号転送ノード２０２は、アンテナビーム形成重みを基地局１０４に送信する。例えば、ステップ５１０において信号転送ノードは、決定したアンテナビーム形成重みを有するプリコーディングコードワードを基地局１０４に送信する。ステップ５１２で基地局１０４はアンテナビーム形成重みを受信し、受信したアンテナビーム形成重みを有するプリコーディングコードワードをプリコーディングコードブックに追加する。
【００２３】
図６は、いくつかの実施形態に係る基地局１０４、信号転送ノード２０２、及びＵＥ１０２の構成要素を示す機能ブロック図である。図６に示すように、信号転送ノード２０２は、（１）基地局１０４からトリガを受信するためのトリガ受信モジュール６０１と、（２）（例えばトリガ受信モジュールが基地局１０４からトリガを受信したことに応じて）基準信号を基地局１０４に送信するように構成された基準信号送信モジュール６０２とを有してよい。
【００２４】
基地局１０４は、（１）信号転送ノード２０２にトリガを送信するためのトリガ送信モジュール６０３と、（２）トリガに応答して送信された、信号転送ノード２０２からの基準信号を受信するための基準信号受信モジュール６０４と、（３）アンテナビーム形成重みが決定できるように基準信号を測定するための基準信号測定モジュール６０６と、（４）基準信号の測定結果に基づいてアンテナビーム形成重みを決定するためのアンテナビーム形成重み決定モジュール６０８と、（５）決定されたアンテナビーム形成重みを有するプリコーディングコードワードを生成するためのプリコーディングコードワード生成モジュール６０９と、（６）他にもあるが、特にプリコーディングコードワードをプリコーディングコードブックに追加するように構成されたプリコーディングコードブック生成モジュール６１０と、（７）プリコーディングコードブックをＵＥに通信するための通信モジュール６１２とを有してよい。プリコーディングコードブックは、ＵＥ１０２のプリコーディングコードブック受信モジュール６１４によって受信されてよい。プリコーディングコードワードをプリコーディングコードブックに追加することに加え、プリコーディングコードブック生成モジュールは、上述したように他のプリコーディングコードワードをプリコーディングコードブックに追加してもよい。
【００２５】
図７は、いくつかの実施形態に係る基地局１０４、信号転送ノード２０２、及びＵＥ１０２の構成要素を示す機能ブロック図である。図７に示す実施形態において、基地局１０４は基準信号を信号転送ノード２０２に送信するための基準信号送信モジュール７０２を有し、信号転送ノード２０２は、（１）基地局１０４から送信される基準信号を受信するための基準信号受信モジュール７０４と、（２）アンテナビーム形成重みが決定できるように基準信号を測定するための基準信号測定モジュール７０６と、（３）基準信号の測定結果に基づいてアンテナビーム形成重みを決定するためのアンテナビーム形成重み決定モジュール７０８と、（４）決定されたアンテナビーム形成重みを有するプリコーディングコードワードを生成するためのプリコーディングコードワード生成モジュール７０９と、（５）基地局１０４にデータ（例えばプリコーディングコードワード）を送信するための通信モジュール７１０とを有する。さらに図７に示すように、基地局１０４はさらに、（１）信号転送ノードの送信モジュールから送信されたデータ（例えばプリコーディングコードワード）を受信するための受信モジュール７１２と、（２）他にもあるが、特に、決定モジュール７０８によって決定されたアンテナビーム形成重みを有するプリコーディングコードワード（例えば受信モジュール７１２によって受信されたプリコーディングコードワード）をプリコーディングコードブックに追加するためのプリコーディングコードブック生成モジュール７１４と、（３）プリコーディングコードブックをＵＥに通信するための通信モジュール７１６とを有する。プリコーディングコードブックは、ＵＥ１０２のプリコーディングコードブック受信モジュール６１４によって受信されてよい。
【００２６】
一部の実施形態において、信号転送ノードはモジュール７０９を有さない。このような実施形態では決定されたアンテナビーム形成重みを通信モジュール７１０が基地局１０４に通信し、一方基地局１０４は、この通信されたビーム形成重みを受信するためのビーム形成重み受信モジュールと、受信したアンテナビーム形成重みを用いてプリコーディングコードワードを生成するプリコーディングコードワード生成モジュールとを有する。
【００２７】
上述の通り、基地局１０４はビーム形成重み／プリコーディングコードワードを複数の信号転送ノード２０２ａ〜２０２ｃから受信し、信号転送ノード２０２ａ〜２０２ｃから受信したビーム形成重み／プリコーディングコードワードに基づいてプリコーディングコードブックを生成してもよい。すなわち、基地局１０４はプリコーディングコードブック生成モジュールを、複数のビーム形成重み／プリコーディングコードワードをプリコーディングコードブックに追加するために用いることができる。
【００２８】
図８は、本発明のいくつかの実施形態に係る基地局１０４を示す機能ブロック図である。図８に示すように基地局１０４は、ユーザ端末との間でデータを送受信するための送受信回路８０２と、上述した機能及び特徴を実施するためのソフトウェア８０６を格納する記憶装置８０４（例えば不揮発性データ記憶装置）と、ソフトウェア８０６を実行するためのプロセッサ８０８（例えばマイクロプロセッサ）とを有してよい。記憶装置８０４はさらに、基地局１０４の使用に関するデータ８１０を格納してもよい。
【００２９】
図９は、本発明のいくつかの実施形態に係る信号転送ノード２０２を示す機能ブロック図である。図９に示すように信号転送ノード２０２は、ユーザ端末１０２／基地局１０４との間でデータを送受信するための送受信回路９０２と、上述した機能及び特徴を実施するためのソフトウェア９０６を格納する記憶装置９０４（例えば不揮発性データ記憶装置）と、ソフトウェア９０６を実行するためのプロセッサ９０８（例えばマイクロプロセッサ）とを有してよい。記憶装置９０４はさらに、信号転送ノード２０２の使用に関するデータ９１０を格納してもよい。
【００３０】
本発明の見地及び実施形態は、１つ以上の利点を提供するであろう。例えば、基地局から信号転送ノードに送信された基準信号の測定結果及び／又は信号転送ノードから基地局に送信された基準信号の測定結果に基づいてプリコーディングコードブックが基地局によって生成される実施形態は、基地局と信号転送ノードの間の良好なチャネル状況を保証することができる。さらに、このような実施形態は、既存のネットワークにおける信号転送ノードに簡単に導入することが可能であるか、さほど複雑でないか、コストがさほどかからないによる小さなアップグレードしか必要としない。例えば、ＵＥと信号転送ノードとの間でのシグナリングが不要である。さらに、ＵＥが共通ＲＳアンテナポートによってプリコーディングコードワードを通知される場合、ＵＥの振る舞いを全く変更する必要がない。
【００３１】
本発明の様々な実施形態を説明してきたが、それらは単に例示を目的としたものであって、限定を目的としたものでないことを理解すべきである。従って、本発明の広さ及び範囲は上述した例示的な実施形態のいずれによっても限定されるべきではない。
【００３２】
さらに、上述し、また図示した処理は複数のステップのシーケンスとして示されているが、これは例示のためだけになされたものである。従って、ステップが追加されたり、省略されたり、順序が再構成されたりしてもよいことが意図されている。
本発明に関する例Ｅ１〜Ｅ１９は以下の通りである。
Ｅ１：  基地局(104)であって、
プリコーディングコードワードを少なくとも１つ有するプリコーディングコードブックを生成するように構成されたプリコーディングコードブック生成モジュール(610)と、
前記プリコーディングコードブックをユーザ端末に通信するように構成されたプリコーディングコードブック通信モジュール(612)とを有し、
前記プリコーディングコードワードは信号転送ノード(202a)に関連付けられ、かつ１つ以上のアンテナビーム形成重みを有することを特徴とする基地局。
Ｅ２：  基準信号を前記信号転送ノード(202)に送信するように構成された基準信号送信モジュール(702)をさらに有することを特徴とする例Ｅ１記載の基地局。
Ｅ３：  前記信号転送ノードからアンテナビーム形成重みを受信可能な受信モジュール(712)をさらに有することを特徴とする例Ｅ２記載の基地局。
Ｅ４：  前記プリコーディングコードブック生成モジュールが、前記受信モジュールによって受信されたアンテナビーム形成重みをプリコーディングコードブックに追加するように構成されることを特徴とする例Ｅ３記載の基地局。
Ｅ５：  前記受信モジュールによって受信されたアンテナビーム形成重みを有するプリコーディングコードワードを形成するように構成されたプリコーディングコードワード形成モジュール(709)をさらに有することを特徴とする例Ｅ３記載の基地局。
Ｅ６：  前記プリコーディングコードブック生成モジュールが、前記プリコーディングコードワード形成モジュールによって形成されたプリコーディングコードワードをプリコーディングコードブックに追加するように構成されることを特徴とする例Ｅ５記載の基地局。
Ｅ７：  前記信号転送ノードに前記基準信号を送信させるトリガを前記信号転送ノードに送信するように構成されたトリガ送信モジュール(601)をさらに有することを特徴とする例Ｅ１記載の基地局。
Ｅ８：  前記信号転送ノードによって送信された基準信号を測定するように構成された測定モジュール(606)をさらに有することを特徴とする例Ｅ１又は例Ｅ７記載の基地局。
Ｅ９：  前記測定モジュールによって行われた測定結果に基づいてビーム形成重みを決定するように構成されたビーム形成重み決定モジュール(608)をさらに有することを特徴とする例Ｅ８記載の基地局。
Ｅ１０：  前記アンテナビーム形成重み決定モジュールによって決定された前記アンテナビーム形成重みを有するプリコーディングコードワードを生成するように構成されたプリコーディングコードワード生成モジュール(609)をさらに有することを特徴とする例Ｅ９記載の基地局。
Ｅ１１：  前記プリコーディングコードブック生成モジュールが、前記プリコーディングコードワード生成モジュールによって生成されたプリコーディングコードワードをプリコーディングコードブックに追加するように構成されることを特徴とする例Ｅ１０記載の基地局。
Ｅ１２：  前記プリコーディングコードブック生成モジュールが、プリコーディングコードブックを周期的に生成するように構成されることを特徴とする例Ｅ１乃至例Ｅ１１のいずれかに記載の基地局。
Ｅ１３：  前記プリコーディングコードブック生成モジュールが、前記プリコーディングコードブックをシステム初期化期間及び新規ユーザ設定手順の一方の間にのみ生成するように構成されることを特徴とする例Ｅ１乃至例Ｅ１２のいずれかに記載の基地局。
Ｅ１４：  前記プリコーディングコードブック通信モジュールが、共通制御チャネルを用いてプリコーディングコードブックサイズを前記ユーザ端末に通信し、プリコーディングベクタ候補を共通基準信号の重みとして用いるように構成されることを特徴とする例Ｅ１乃至例Ｅ１３のいずれかに記載の基地局。
Ｅ１５：  信号転送ノード(202)であって、
基地局から送信された信号を受信するように構成された受信モジュール(704)と、
前記信号を測定するように構成された信号測定モジュール(706)と、
前記信号の１つ以上の測定結果に基づいてアンテナビーム形成重みを決定するように構成されたアンテナビーム形成重み決定モジュール(708)と、
前記ビーム形成重みを前記信号転送ノードから前記基地局に送信するための送信モジュール(710)とを有することを特徴とする信号転送ノード。
Ｅ１６：  前記送信モジュールが、前記アンテナビーム形成重みを有するプリコーディングコードワードを前記基地局に送信するように構成されることを特徴とする例Ｅ１５記載の信号転送ノード。
Ｅ１７：  前記信号が基準信号であることを特徴とする例Ｅ１５又は例Ｅ１６に記載の信号転送ノード。
Ｅ１８：  前記信号転送ノードが前記基地局から送信されたトリガメッセージを受信したことに応じて前記信号測定モジュールに前記信号の測定を開始させるように構成されたトリガモジュール(601)をさらに有することを特徴とする例Ｅ１５乃至例Ｅ１７のいずれかに記載の信号転送ノード。
Ｅ１９：  前記信号転送ノード(202)であって、
基地局から送信された信号を受信するように構成された信号受信器(902)と、
前記受信された信号を再送信するように構成された信号送信器(902)と、
前記基地局から送信されたトリガを受信可能なトリガ受信モジュール(601)と、
前記トリガ受信モジュールが前記基地局から前記トリガを受信したことに応じて前記基地局に基準信号を送信するように構成された基準信号送信器モジュール(602)とを有することを特徴とする信号転送ノード。
【図１】
0005411279.tif 000002
【図２】
0005411279.tif 000003
【図３】
0005411279.tif 000004
【図４】
0005411279.tif 000005
【図５】
0005411279.tif 000006
【図６】
0005411279.tif 000007
【図７】
0005411279.tif 000008
【図８】
0005411279.tif 000009
【図９】
0005411279.tif 000010